(57)【要約】【課題】  検出手段では挿入検知できない径路から挿入された異物が、装置内部深くに侵入することを阻止し、異物との接触による装置内部の損傷を防止するとともに、装置内部での異物の残留を未然に防止する。【解決手段】  可動部１６はディスク１の挿入口１１ａとディスクの装着位置５の間を結ぶ搬送路６の途上付近に配置され、少なくとも挿入口１１ａ側と装着位置５側の両者間の物体の通過を遮断する位置と、物体の通過を可能とする位置との間で移動可能なものにおいて、可動部１６は搬送路６に対して略垂直な方向にも移動可能である。【選択図】        図４
2005353124.tif 000002
【特許請求の範囲】
【請求項１】
ディスクを挿入するための挿入口を有する筐体と、
前記挿入口から挿入された前記ディスクを、前記筐体内の所定の装着位置まで搬送する搬送機構と、
前記挿入口付近から前記装着位置までの搬送路に移動可能に設けられ、前記挿入口から挿入される異物を遮断するためのゲートと、
前記ゲートよりも前記挿入口側に設けられ、前記ディスクを検知する検知手段と、
前記検知手段からの検知信号に基づいて前記ゲートを移動させる手段と
を備えたディスク装置。
【請求項２】
ゲートは搬送機構と一体に設けられ、検知手段にディスクが検知されるとともに前記搬送機構が搬送路を開放する位置に移動することを特徴とする請求項１に記載のディスク装置。
【請求項３】
検知手段は、ディスクの通過に際して光学的に前記ディスクを検出する光検出手段である請求項１または２に記載のディスク装置。
【請求項４】
搬送機構には搬送ローラを含み、前記搬送機構の内部において、搬送路に対して略垂直な方向に前記搬送ローラを移動可能としたことを特徴とする請求項１乃至３のいずれかに記載のディスク装置。
【発明の詳細な説明】
【技術分野】
【０００１】
本発明は、ＣＤ（Compact Disk）やＤＶＤ（Digital Versatile Disk）等のディスクを用いて、情報の記録や再生などを行うディスク装置に関し、特にスロットインタイプの搬送機構で、ディスクを搬入および排出する搬送機構を備えたディスク装置に関するものである。
【背景技術】
【０００２】
ディスク装置には、挿入口から挿入されたディスクを、情報の記録等が行われる装着位置まで搬送する所謂スロットインタイプの搬送機構を備えたものがある。このようなディスク装置には、挿入口の近傍にディスクを検知するセンサ（挿入検知センサとする。）が備えられており、その検知信号に基づいて搬送機構が作動する。さらに、ディスクの種別等を判別するための光学式又は機械式のセンサも備えられており、ディスク以外の物体すなわち異物が挿入された場合には、搬送機構により強制的に排出するようになっている（例えば、特許文献１、特許文献２参照）。
【０００３】
【特許文献１】特開２０００−１４９３６７号公報
【特許文献２】特開２０００−２６８４８２号公報
【発明の開示】
【発明が解決しようとする課題】
【０００４】
上記のような従来のディスク装置では、異物が挿入検知センサにより検出されない径路から挿入された場合は、上述した排出機構が作動せず、異物のディスク装置内への侵入を防止することができないため、異物がディスク装置内の部品と接触して部品の損傷を招くおそれがある。また、異物がディスク装置内に残存して除去できない状態となり、ディスク装置の信頼性を損なうおそれもある。また、ディスクが反り返っている場合、ディスクの挟み込みが困難であり、搬送動作を安定して実施することができない。
【０００５】
本発明は、上述のような課題を解消するためになされたもので、検出手段が挿入検知できない径路から挿入された異物が、装置内部深くに侵入することを阻止し、異物との接触による装置内部の損傷を防止するとともに、装置内部での異物の残留を未然に防止することを目的とする。
また、ディスクが反り返っている場合でも、搬送動作を安定して実施することができることを目的とする。
【０００６】
この発明に係るディスク装置は、ディスクを挿入するための挿入口を有する筐体と、挿入口から挿入されたディスクを筐体内の所定の装着位置まで搬送する搬送機構を備えている。搬送機構はディスクの挿入口とディスクの装着位置間を結ぶ搬送路の途上付近に配置され、少なくとも挿入口付近の第１の位置と、挿入口から装着位置方向に離れた第２の位置との間で移動可能であって、搬送路に対して略垂直な方向にも移動可能である。前記第１の位置は挿入口側と搬送完了位置側の両者間の物体の通過を遮断する位置、前記第２の位置は物体の通過を可能とする位置であるように構成したものである。
【発明の効果】
【０００７】
本発明によれば、挿入口から装着位置までのディスク搬送路に移動可能なゲートを設け、且つ、挿入口からのディスクの挿入を検知手段により検知し、その検知結果に基づいてゲートを移動するよう構成したので、筐体内への異物の侵入を防止することができる。これにより、ディスク装置内の部品の損傷を防止し、装置内部での異物の残留を未然に防止することができる。
また、この発明によれば、ディスクが反り返っている場合であっても、搬送動作を安定して実施することが可能となる。
【発明を実施するための最良の形態】
【０００８】
実施の形態１
図１は、本発明に係るディスク装置の全体の構成を示す斜視図である。図１に示すディスク装置において、ディスク１は、フロントパネル１１に設けられた挿入口１１ａより筐体１０ａ内部に挿入され、ディスクの記録・再生を行う装着位置５に搬送される。
【０００９】
図２は、フロントパネル１１の背面部の構成を示す図である。フロントパネル１１の背面には、ディスク挿入時以外は挿入口１１ａを遮蔽することにより異物の進入を防止し、ディスク挿入時は挿入口１１ａを開放する遮蔽機構５０が設けられている。図３は、遮蔽機構５０の背面を示す図である。遮蔽機構５０は、挿入口１１ａを遮蔽するためのゲート２３を有する可動部１６と、当該可動部１６を図中Ａ−Ｂ方向にスライド可能に支持するガイドプレート２４，２５と、当該可動部１６をＡ−Ｂ方向に駆動するための開閉用モータ２６を備えている。
【００１０】
図４は、図２および図３に示す遮蔽機構５０の分解斜視図である。以下、本発明に係るディスク装置の詳細な構成を説明する。
図７は、可動部１６の構成を示す図である。図７において、１８，１９はゲート２３の両端に設けられるサイドプレートである。ゲート２３の上方には、ディスクを挿入するための間隙を隔ててガイドフラップ２２が配される。また、ゲート２３の下方には、搬送ベースプレート１７が設けられる。搬送ベースプレート１７には、開閉用モータ２６により駆動されるラック駆動ギア２８と係合するラック２０が取り付けられている。ガイドフラップ２２、ゲート２３、および搬送ベースプレート１７の両端はサイドプレート１８，１９にそれぞれ固定されている。
【００１１】
サイドプレート１８，１９の両端には、図２および３に示すように、ガイドプレート２４，２５にそれぞれ設けられたスライドピン溝部２４ｂ，２５ｂと係合するスライドピン３０，３１が設けられている。
【００１２】
また、サイドプレート１８，１９には、ディスクを装着位置まで搬送する搬送ローラ２１（図３参照）の両端に設けられた回動支軸２１ａ（図２参照），２１ｂを回動可能に支持するためのローラ軸受部１８ａ，１９ａが形成されている。搬送ローラ２１の回動支軸２１ａ，２１ｂのいずれかには、当該搬送ローラ２１をディスク搬送時に回動する搬送用モータ（図示せず）が連結されている。搬送ローラ２１は、挿入口１１ａから挿入されたディスクを所定の装着位置まで搬送し、また当該ディスクを装着位置から挿入口１１ａの外に排出する。図２および３に示すように、搬送ローラ２１の回動支軸２１ａ，２１ｂはガイドプレート２４，２５に設けられたローラ回動軸スライド溝部２４ｃ，２５ｃを貫通するように構成されており、可動部１６のＡ−Ｂ方向の移動時、搬送ローラ２１の回動支軸２１ａ，２１ｂは、ローラ回動軸スライド溝部２４ｃ，２５ｃを摺動する。
【００１３】
図５は、挿入口１１ａ付近の内部構成を示す図である。図５において、１２はフロントパネル１１の裏面に取り付けられる上カバーであり、１３は当該上カバー１２に対向して取り付けられる下カバーである。上カバー１２にはディスクを検知するための光を出射する発光素子１４が設けられ、下カバー１３には発光素子１４からの光を受光する受光素子１５が設けられており、発光素子１４と受光素子１５との間に形成される光路が遮断されると後述する挿入検知センサ４よりディスクが挿入されたことを示す検知信号が出力される。
【００１４】
図６は、遮断機構５０の下部の構成を示す図である。開閉用モータ２６の出力軸にはモータギア２７が取り付けられている。モータギア２７は、ガイドプレート２４に回動可能に取り付けられるラック駆動ギア２８と係合しており、ラック駆動ギア２８は、搬送ベースプレート１７に取り付けられたラック２０と係合している。開閉用モータ２６は、モータギア２７、ラック駆動ギア２８を回動することにより、ラック２０をＡ−Ｂ方向に駆動する。これにより可動部１６がＡ−Ｂ方向にスライドする。
【００１５】
図６において３２、３３は、中央部に設けられたレバーピン３８により互いに回動可能に連結されたレバーである。レバー３２、３３の一端は、レバーピン３４、３６により下カバー１３に固定され、他端はレバーピン３７、３５により搬送ベースプレート１７に固定されている。図８は、可動部１６がＡ方向にスライドされたときの遮断機構５０の下部を示す図である。図８に示すように、レバー３２、３３は可動部１６のスライド時、レバーピン３８を中心として回動し、可動部１６を支持する。
【００１６】
次に、図９および図１０を用いて可動部１６の動作を説明する。図９は、ディスク挿入時以外の可動部１６の位置を示す側面図であり、図１０は、ディスク挿入時の可動部１６の位置を示す側面図である。図９および図１０において、６の破線はディスクの搬送路を示している。図９に示すようにディスク挿入時以外、可動部１６はＢ方向側に位置するため、搬送路６はゲート２３により遮断され、装置内部への異物の侵入が防止される。これに対し、ディスク挿入時、可動部１６は図１０に示すようにＡ方向側に移動するため、搬送路６が開放され、ディスク１を装置内部へ挿入することが可能となる。
【００１７】
図１１は、ディスク挿入時における可動部１６の動作を制御する制御系の構成を示すブロック図である。挿入検知センサ４は、上述した発光素子１４及び受光素子１５の間に形成される光路が遮断された場合、ディスクが挿入されたことを示す検知信号を制御部１００へ出力する。制御部１００は、挿入検知センサ４から出力される検知信号に基づいて、可動部１６をＡ−Ｂ方向にスライドさせるための開閉用モータ２６と、搬送ローラ２１を回転する搬送用モータ１０１とを駆動制御する。
【００１８】
以上のように構成されたディスク装置の動作を、図１２〜１７を用いて説明する。
図１２、図１３に示すように、挿入口１１ａから挿入されたディスク１により、発光素子１４と受光素子１５の間に形成される光路が遮断されると、挿入検知センサ４により検知信号が出力される。検知信号が出力される前は、図９に示すようにディスク１の搬送路６はゲート２３により遮断されており、ディスク１は装置内部に侵入することはできない。制御部１００は、この検知信号を受信すると、ディスク１が挿入されたと判断し、開閉用モータ２６に通電を開始する。これにより図１４に示すように、可動部１６がＡ方向に移動し、図１０に示すようにゲート２３により遮断されていた搬送路６が開放される。
図１５に示すように、ガイドフラップ２２とゲート２３との間にディスク１が挿入されると、制御部１００は搬送用モータ１０１を駆動して搬送ローラ２１を回転させる。搬送ローラ２１の回転動作によりディスク１は、図１６に示すように装置内部に引き込まれ、所定の装着位置まで搬送される。ディスク１の搬送が完了した後、可動部１６は、図１７に示すようにＢ方向に移動し、図９に示すようにディスク１の搬送路６はゲート２３により遮断される。
【００１９】
この実施の形態１のディスク装置１０によれば、挿入口１１ａから装着位置５までのディスク１の搬送路６に移動可能なゲート２３を設け、挿入検知センサ４（発光素子１４及び受光素子１５）がディスク１を検知したときにのみゲート２３を移動して搬送路６が開放されるようにしたので、ディスク１以外の物体すなわち異物の侵入をゲート２３において遮断することができる。
【００２０】
なお、異物が発光素子１４と受光素子１５間に形成される光路を遮断する方向から挿入されることにより可動部１６が移動し、搬送路６が開放された場合は、従来例にあるように、ディスク装置内部においてディスク判別を行い、異物と判断された場合はこれを強制的に排出する。これにより、全ての径路から挿入される異物を装置外に排出することが可能となり、異物との接触による装置内部の損傷を未然に防止することが可能となる。
また、発光素子１４と受光素子１５で形成される挿入検知センサ４を用いるので、接触式の検知手段を用いた場合に発生するディスクを含む挿入物の傷付きを生じることなく、ディスクの検知を行うことが可能となる。
【００２１】
実施の形態２．
図１８は搬送機構の変形例を示す分解斜視図である。図１８に示すように本変形例においては、可動部１６のサイドプレート１８，１９に、搬送ローラ２１を上下方向に移動可能に支持するためのローラ上下ガイド溝１８ｂ，１９ｂが形成されている。また、ガイドプレート２４，２５には、搬送ローラ２１の回動支軸２１ａ，２１ｂと係合する屈曲部を形成したカム溝２４ｆ，２５ｆが形成されており、可動部１６をＡ−Ｂ方向にスライドさせる際、回動支軸２１ａ，２１ｂはカム溝２４ｆ，２５ｆを摺動する。当該回動支軸２１ａ，２１ｂがカム溝２４ｆ，２５ｆを摺動すると同時にガイド溝１８ｂ，１９ｂを上下方向に摺動し、搬送ローラ２１が上下方向に移動する。
【００２２】
図１９および図２０は、搬送ローラ２１の回動支軸２１ａ，２１ｂがカム溝２４ｆ，２５ｆの屈曲部を摺動する際の搬送ローラ２１の動作を示す図である。
【００２３】
図１９に示すように回動支軸２１ａ，２１ｂがカム溝２４ｆ，２５ｆの直線部分を摺動する際、ローラ２１はガイドフラップ２２から最も離れた位置にある。図２０に示すように、当該回動支軸２１ａ，２１ｂが屈曲部を摺動し、可動部１６がＡ方向に移動完了したときにはローラ２１がガイドフラップ２２に対して最も接近する。
【００２４】
つまり、ディスク排出動作に移行する場合、ローラ２１はディスク１に向かって移動し、可動部１６がＡ方向に移動完了した際には、ディスク１はローラ２１とガイドフラップ２２により狭持される。
【００２５】
以上のように、ディスク１の排出を行う際、ガイドフラップ２２とローラ２１によりディスク１をその面方向から挟み込むよう構成することで、ディスク１がその面外方向に大きく変形している場合や、ディスク１が搬送完了位置５から位置ズレを生じている際にも搬送動作を安定して実施することが可能となる。
【図面の簡単な説明】
【００２６】
【図１】この発明の実施の形態に係るディスク装置の斜視図である。
【図２】この発明の実施の形態１に係るフロントパネル１１の背面部の構成を示す図である。
【図３】この発明の実施の形態１に係る遮蔽機構５０を示す図である。
【図４】この発明の実施の形態１に係る遮蔽機構５０の分解斜視図である。
【図５】この発明の実施の形態１に係る挿入口１１ａ付近の内部構成を示す図である。
【図６】この発明の実施の形態１に係る遮蔽機構５０の下部の構成を示す図である。
【図７】この発明の実施の形態１に係る可動部１６の構成を示す図である。
【図８】この発明の実施の形態１に係るディスク挿入時の可動部１６の位置を示す斜視図である。
【図９】この発明の実施の形態１に係るディスク挿入時以外の可動部１６の位置を示す側面図である。
【図１０】この発明の実施の形態１に係るディスク挿入時の可動部１６の位置を示す側面図である。
【図１１】この発明の実施の形態１に係るディスク挿入時における可動部１６の動作を制御する制御系の構成を示すブロック図である。
【図１２】この発明の実施の形態１に係るディスク挿入開始を示した斜視図である。
【図１３】この発明の実施の形態１に係るディスク挿入開始を示した斜視図である。
【図１４】この発明の実施の形態１に係る可動部１６がＡ方向への移動の完了を示した斜視図である。
【図１５】この発明の実施の形態１に係るディスク搬送動作の途中を示した斜視図である。
【図１６】この発明の実施の形態１に係るディスク搬送動作の完了を示した斜視図である。
【図１７】この発明の実施の形態１に係るディスク搬送動作の完了後、可動部１６のＢ方向への移動完了を示した斜視図である。
【図１８】この発明の実施の形態２に係る搬送機構の変形例を示す分解斜視図である。
【図１９】搬送ローラ２１の回動支軸２１ａ，２１ｂがカム溝２４ｆ，２５ｆの屈曲部を摺動する際の搬送ローラ２１の動作を示す図である。
【図２０】搬送ローラ２１の回動支軸２１ａ，２１ｂがカム溝２４ｆ，２５ｆの屈曲部を摺動する際の搬送ローラ２１の動作を示す図である。
【符号の説明】
【００２７】
１  ディスク
５  装着位置
６  搬送路
１０  筐体
１１  フロントパネル
１１ａ  挿入口
１４  発光素子
１５  受光素子
１６  可動部
１８  サイドプレート
１９  サイドプレート
２０  ラック
２１  ローラ
２２  ガイドフラップ
２３  ゲート
２４  ガイドプレート
２５  ガイドプレート
２６  開閉用モータ
２７  モータギア
２８  ラック駆動ギア
５０  遮蔽機構
【図１】
2005353124.tif 000003
【図２】
2005353124.tif 000004
【図３】
2005353124.tif 000005
【図４】
2005353124.tif 000006
【図５】
2005353124.tif 000007
【図６】
2005353124.tif 000008
【図７】
2005353124.tif 000009
【図８】
2005353124.tif 000010
【図９】
2005353124.tif 000011
【図１０】
2005353124.tif 000012
【図１１】
2005353124.tif 000013
【図１２】
2005353124.tif 000014
【図１３】
2005353124.tif 000015
【図１４】
2005353124.tif 000016
【図１５】
2005353124.tif 000017
【図１６】
2005353124.tif 000018
【図１７】
2005353124.tif 000019
【図１８】
2005353124.tif 000020
【図１９】
2005353124.tif 000021
【図２０】
2005353124.tif 000022